(57)【要約】【課題】直下型の照明装置において、輝度を低下させることなく、輝度の均一化及び形体の薄型化を図る。【解決手段】照明装置は、いわゆる直下型の照明装置であり、光源と、光源の発光側に配置された拡散板と、を備える。拡散板において、光源に対向する領域には、拡散補助部材が重ねて配置され、当該領域における拡散度が他の領域よりも高い。これによれば、拡散板において、光源から出射される光の強度が最も大きくなる、拡散補助部材に対応する領域ほど光の拡散率が大きくなり、光源から出射される光の強度が小さくなる当該他の領域ほど光の拡散率が小さくなる。そのため、輝度を低下させることなく、輝度の均一化が図れる。また、拡散部材をスクリーン印刷法等により形成することで照明装置の形体の薄型化が図れる。【選択図】図１
2010040236.tif 000002
【特許請求の範囲】
【請求項１】
光源と、
前記光源の出光側に対向配置される拡散部材と、を備え、
前記拡散部材において、前記光源に対向する領域には、拡散補助部材が重ねて配置され、当該領域における拡散度が他の領域よりも高いことを特徴とする照明装置。
【請求項２】
前記拡散補助部材は、前記光源から出射された光のうち、一部の光を前記光源側とは逆側に拡散させて透過させると共に残りの光を前記光源側に反射させることを特徴とする請求項１に記載の照明装置。
【請求項３】
前記拡散補助部材は、前記光源と平面的に重なる円形状の平面形状を有することを特徴とする請求項１又は２に記載の照明装置。
【請求項４】
前記拡散補助部材は、大きさの異なる同心円状の拡散パターンが積層されて構成されることを特徴とする請求項１乃至３のいずれか一項に記載の照明装置。
【請求項５】
前記拡散パターンの各々の半径は、前記拡散部材に近づくほど大きく、
前記拡散パターンの各々の拡散度は、全て同一であるか、又は前記拡散部材に近づくほど小さいことを特徴とする請求項４に記載の照明装置。
【請求項６】
前記拡散パターンの各々は、前記拡散部材の前記光源側又は前記光源側とは逆側のうち何れか一方の側に配置されていることを特徴とする請求項４又は５に記載の照明装置。
【請求項７】
前記拡散補助部材は、前記拡散部材の前記光源側又は前記光源側とは逆側に配置されていることを特徴とする請求項１乃至６のいずれか一項に記載の照明装置。
【請求項８】
前記光源は、行列状に複数配置され、
前記拡散補助部材は、前記複数の光源のぞれぞれに対向して、行列状に複数配置されるとともに、前記拡散補助部材の各々は互いに離間して配置されていることを特徴とする請求項１乃至７のいずれか一項に記載の照明装置。
【請求項９】
前記光源と前記拡散部材との間隔は、前記隣り合う前記光源の間隔と等しいか、又は前記隣り合う前記光源の間隔より小さいことを特徴とする請求項８に記載の照明装置。
【請求項１０】
一対の基板間に電気光学層を挟持してなる電気光学パネルと、前記電気光学パネルの一方の面側に配置された請求項１乃至９のいずれか一項に記載の照明装置と、を備えることを特徴とする電気光学装置。
【請求項１１】
請求項１０に記載の電気光学装置を表示部として備えることを特徴とする電子機器。
【発明の詳細な説明】
【技術分野】
【０００１】
本発明は、電気光学装置に用いて好適な直下型の照明装置に関する。
【背景技術】
【０００２】
現在、携帯電話機、携帯情報端末機、コンピュータディスプレイなどの電子機器において、映像を表示するために電気光学装置の一例としての液晶装置が広く用いられている。
【０００３】
このような液晶装置では、液晶表示パネルを背面側から照明して透過表示を行うために、その液晶表示パネルの背面側にバックライト装置（照明装置）が設けられる。かかる照明装置は、液晶表示パネル等に対する光源の配置位置によって、エッジライト方式と直下型方式の２つの方式に大別される。
【０００４】
エッジライト方式は、液晶表示パネルの背面側に光を導く導光板を配し、その導光板の側面部に光源を配置する方式であり、低消費電力化及び薄型化を図れるため、小型〜中型の液晶装置に好適に用いられている。一方、直下型方式は、液晶表示パネルの背面側に光源を配置する方式であり、高い輝度を得られるため、中型〜大型の液晶装置に好適に用いられている。
【０００５】
ところで、直下型方式では、光源として蛍光管から白色光を出射する冷陰極管（ＣＣＦＬ：Cold Cathode Fluorescent Lamp）等の蛍光ランプが一般に用いられているが、ＣＣＦＬが蛍光管内に水銀を封入することで環境に悪影響を及ぼすこともあり、ＣＣＦＬに代わる適宜の光源として、高輝度特性、低電力消費特性或いは長寿命特性等を有する発光ダイオード（ＬＥＤ：Light Emitting Diode）が用いられるようになってきている。ところが、このような発光ダイオードを用いた直下型方式では、発光ダイオードから出射される光が指向性を有するために、輝度の均一性を図ることが難しいといった課題がある。
【０００６】
このような課題に対して、例えば、特許文献１及び２には、輝度の均一化を図ることが可能な直下型方式のバックライト装置が記載されている。
【０００７】
特許文献１に記載のバックライトアセンブリーは、発光ダイオードと、発光ダイオードと向かい合う位置に配置された光学機材とを備え、光学機材の光入射面に対して、ドーナッツ形状のグループを形成している。
【０００８】
特許文献２に記載のバックライトは、発光ダイオードと、発光ダイオードを支持する筐体と、筐体の開口部に近接して配置された第１の拡散板と、発光ダイオードと第１の拡散板との間に配置された第２の拡散板と、筐体の底面及び側面に配置された反射板とを備え、第２の拡散板において、発光ダイオードに対応する位置には、発光ダイオードからの光を反射する反射部材が設けられている。
【０００９】
【特許文献１】特開２００６−１２７６３号公報
【特許文献２】特開２００４−３４２５８７号公報
【発明の開示】
【発明が解決しようとする課題】
【００１０】
上記した特許文献１に記載のバックライトアセンブリーでは、ドーナッツ形状のグループにより、発光ダイオードからの入射光が光学機材の光入射面に入射されることを制限して、光学機材の出射面に出射される出射光の輝度均一性を向上させることとしている。
【００１１】
しかしながら、このバックライトアセンブリーでは、複雑な形状を有するドーナッツ形状のグループを、例えば射出成形法によって作製しなければならず、その分、バックライトアセンブリーのコストが増加してしまうといった課題がある。
【００１２】
また、上記した特許文献２に記載のバックライトによれば、第２の拡散板において、発光ダイオードに対応する位置に設けられた反射部材により、発光ダイオードから発せられた光が直接第２の拡散板に入射されることなく反射部材にて反射され、その反射された光が反射板等との間で反射を繰り返し、第２の拡散板に入射する。このため、第２の拡散板において発光ダイオードに対応する位置近傍に光が集中しなくなり、光を分散させることが可能となり、輝度ムラ、色ムラが抑制され、均一な輝度が得られる。
【００１３】
ところが、このバックライトでは、発光ダイオードに対応する位置に反射部材を設けているため、その分、発光ダイオードから第１の拡散板に至る光路が長くなり、バックライトの薄型化を実現することができないといった課題がある。
【００１４】
また、このバックライトでは、上記したように、正面方向の光度が大きい発光ダイオードから発せられた光を一旦反射部材にて反射させ、更に、その反射させ光を反射板等との間で反射させて、第２の拡散板に入射させるようにしている。ところで、正面方向の光度が大きい発光ダイオードの特性を考慮すると、このような構成を有するバックライトでは、光の損失が大きく、光の利用効率が低下してしまうといった課題がある。
【００１５】
なお、こういった課題の他、近年では、液晶表示パネルの高演色化や高精細化に伴って、これを実現するためにバックライトの輝度を向上させることが求められる。また、液晶テレビに対しては薄型化の要求があり、これに伴いバックライト装置に対しては薄型化が求められている。
【００１６】
本発明は、以上の点に鑑みてなされたものであり、輝度を低下させることなく、輝度の均一化及び形体の薄型化を図ることが可能な直下型の照明装置及びそれを用いた電気光学装置並びに電子機器を提供することを課題とする。
【課題を解決するための手段】
【００１７】
本発明の１つの観点では、照明装置は、光源と、前記光源の出光側に対向配置される拡散部材と、を備え、前記拡散部材において、前記光源に対向する領域には、拡散補助部材が重ねて配置され、当該領域における拡散度が他の領域よりも高い。
【００１８】
上記の照明装置は、光源と、前記光源の出光側（光を出射する側）に配置される拡散部材と、を備える。ここで、光源としては、例えば発光ダイオードが挙げられる。また、拡散部材としては、例えば白色部材、又は表面に凹凸を有する部材などの光を拡散させる部材が挙げられる。さらに、前記拡散補助部材は、前記光源から出射された光のうち、一部の光を前記光源側とは逆側に拡散させて透過させると共に残りの光を前記光源側に反射させる部材であることが好ましい。
【００１９】
特に、この照明装置では、拡散部材において、光源に対向する領域には、拡散補助部材が重ねて配置され、当該領域における拡散度（拡散率）が他の領域よりも高い。
【００２０】
この構成によれば、拡散部材において、光源から出射される光の強度（光度）が最も大きくなる、拡散補助部材が重ねて配置された領域では光の拡散度が大きくなり、光源から出射される光の強度が小さくなる当該他の領域では光の拡散度が小さくなる。これにより、光源からの光を拡散部材及び拡散補助部材によって光源側とは逆側に向けて均一に拡散させることができる。よって、拡散部材の出射面（光源側とは逆側の面）を通じて出射される光の輝度を低下させることなく、その輝度の均一性を向上させることができる。つまり、この照明装置によれば、輝度を低下させることなく、輝度の均一性を向上させることができる。
【００２１】
好適な例では、かかる作用効果をより得るため、前記光源は、行列状に複数配置され、前記拡散補助部材は、前記複数の光源のぞれぞれに対向して、行列状に複数配置されるとともに、前記拡散補助部材の各々は互いに離間して配置されていることが好ましい。この場合、前記光源と前記拡散部材との間隔は、前記隣り合う前記光源の間隔と等しいか、又は前記隣り合う前記光源の間隔より小さいことが好ましい。
【００２２】
また、この構成によれば、拡散部材に対して、そのような拡散補助部材を設けるだけなので、拡散部材と光源との間隔（距離）を小さくすることができ、その結果、照明装置の薄型化を図ることができる。
【００２３】
また、この構成によれば、拡散部材等に対して、例えばスクリーン印刷やインクジェット印刷等により拡散補助部材を形成することにより、照明装置の製造コストを低減することができる。
【００２４】
上記の照明装置の一つの態様では、前記拡散補助部材は、前記光源と平面的に重なる円形状の平面形状を有する。これにより、光源から出射される光の強度が最も強くなる領域での光の拡散度を大きくすることができる。
【００２５】
上記の照明装置の他の態様では、前記拡散補助部材は、大きさの異なる同心円状の拡散パターンが積層されて構成される。好適な例では、前記拡散パターンの各々の半径は、前記拡散部材に近づくほど大きく、前記拡散パターンの各々の拡散度は、全て同一であるか、又は前記拡散部材に近づくほど小さい。
【００２６】
これらの構成によれば、光源の中心軸から遠ざかる拡散パターンほど光の拡散度が小さくなり、その結果、照明装置の輝度を均一化させることができる。
【００２７】
上記の照明装置の他の態様では、前記拡散パターンの各々は、前記拡散部材の前記光源側又は前記光源側とは逆側のうち何れか一方の側に配置されている。
【００２８】
上記の照明装置の他の態様では、前記拡散補助部材は、前記拡散部材の前記光源側又は前記光源側とは逆側に配置されている。
【００２９】
これらの態様のうち、拡散補助部材が拡散部材の光源側とは逆側に配置された構成の場合、光源から出射された光は、まず拡散部材を透過することにより拡散され、その拡散された光が拡散補助部材を透過することで更に拡散される。よって、拡散補助部材が拡散部材の光源側に配置された構成と比較して、拡散補助部材の拡散度を小さくすることができるので、光の利用率が向上して明るい照明装置が得られる。
【００３０】
本発明の他の観点では、一対の基板間に電気光学層を挟持してなる電気光学パネルと、電気光学パネルの一方の面側に配置された上記の何れかの照明装置と、を備える電気光学装置を構成することができる。これによれば、高い輝度が得られ、且つ輝度の均一化及び薄型化が図れる電気光学装置を構成することができる。
【００３１】
本発明の更に他の観点では、上記の電気光学装置を表示部として備える電子機器を構成することができる。
【発明を実施するための最良の形態】
【００３２】
以下、図面を参照して本発明を実施するための最良の形態について説明する。
【００３３】
[液晶装置の構成]
まず、図１及び図２（ａ）を参照して、本発明の実施形態に係る照明装置を備える、電気光学装置の一例としての液晶装置１００の構成について説明する。
【００３４】
図１は、本実施形態に係る照明装置５１を備える液晶装置１００の概略構成を示す断面図である。図２（ａ）は、図１の観察側（表示側）から液晶装置１００の構成要素である照明装置５１を見た平面図を示す。なお、図２（ａ）では、便宜上、照明装置５１の構成要素の一部を省略している。
【００３５】
液晶装置１００は、液晶表示パネル５０と、液晶表示パネル５０の観察側とは逆側に配置され、液晶表示パネル５０を照明する直下型の照明装置５１と、を備える。
【００３６】
液晶表示パネル５０は、第１の基板１と第２の基板２とを枠状のシール材３を介して貼り合わせ、シール材３で区画される領域内に、電気光学層の一例としての液晶層４を狭持して構成される。液晶表示パネル５０の液晶層４側の面上には、例えば、ブラックマトリックス、カラーフィルタ、電極その他の多くの構成要素がマトリクス状（格子状）又はストライプ状（線状）に形成されるが、図１ではそれらの要素の図示を省略している。そして、液晶表示パネル５０におけるシール材３の内側には、画像を表示するための表示領域が形成される。なお、本発明では、液晶表示パネル５０は、特定の構成に限定されず、周知の種々の構成を採り得る。
【００３７】
照明装置５１は、支持部材（筐体）１１と、光学ユニット１２と、拡散補助部材１５と、拡散板（拡散部材）１８と、光学シート１９と、を備える。
【００３８】
支持部材１１は、板状の形状を有する第１支持部材１１ａと、第１支持部材１１ａの外周部から外側に且つ拡散板１８に向けて斜め方向に延在する第２支持部材１１ｂと、を有する。第１支持部材１１ａの液晶表示パネル５０側の面には、光学ユニット１２が配置される。第２支持部材１１ｂは、拡散板１８と光源１４との間に一定の間隔ｄ１を形成した状態で、拡散板１８及び光学シート１９を支持する。好適な例では、支持部材１１を構成する要素のうち、少なくとも第２支持部材１１ｂは、アルミニウムや銀などの反射性を有する素材にて形成されていることが好ましい。これにより、各光源１４から出射された光Ｌのうち、拡散板１８側に出射されない一部の光を拡散板１８に戻す（反射させる）ことができ、光の利用効率を高めることができる。
【００３９】
光学ユニット１２は、基板１３と、複数の光源１４と、を有する。基板１３は、例えばプリント基板であり、複数の光源１４に電力を供給する媒体としての役割と複数の光源１４を保持する役割とを有する。光源１４は、例えば発光ダイオードであり、基板１３の液晶表示パネル５０側の一方の面１３ａに対して分散して配置される。光源１４は、３６０[°]の全方位に亘り光Ｌを放射する指向特性を有する。好適な例では、光源１４は、輝度の均一性を確保するため、基板１３の一方の面１３ａに対して行列状に配置される。これにより、複数の光源１４は、拡散板１８に向けて光Ｌを照射することができる。基板１３の表面は支持部材１１の第１支持部材１１ｂと同様に反射性を有する、或いは、図示しない反射性を有する部材が基板１３の表面に配置されていることが好ましい。これにより、それらのいずれかの部材によって反射して光源１４側に戻った光Ｌを再度反射させて、その光Ｌを有効に利用することができる。これにより、拡散補助部材１５で反射された光Ｌの有効利用を図ることができる。
【００４０】
拡散補助部材１５は、光を拡散させる部材であり、拡散板１８に形成されるが、その詳細な構造については後述する。
【００４１】
拡散板１８は、各光源１４より出射された光Ｌを光学シート１９（例えば、拡散シートやプリズムシートなど）に向けて拡散させる役割を有する。拡散板１８としては、例えば、白色部材や表面に凹凸が形成された部材などが挙げられる。拡散板１８は、支持部材１１の第２支持部材１１ｂの外周部に支持されている。このため、拡散板１８と各光源１４との間には一定の間隔ｄ１を有する空間Ｅが形成されている。このように、拡散板１８と各光源１４との間に一定の間隔ｄ１を形成している理由は、各光源１４から出射された指向性を有する光Ｌを液晶表示パネル５０側へより拡散させるようにするためである。
【００４２】
なお、本発明では、拡散板１８は、板状のものに限らず、シート状のもの、即ち拡散シートであってもよい。
【００４３】
光学シート１９には、例えば拡散シートやプリズムシートなどが含まれる。光学シート１９は、用途に応じて少なくとも１つ（本例では２つ）設けられ、拡散板１８の液晶表示パネル５０側に配置される。
【００４４】
なお、本発明では、光学シート１９のうち、拡散シートは拡散板１８に対して空気層を介して重ね合わせて配置されることで光の均一性を向上するものであり、プリズムシートは、拡散板１８等により拡散された光を特定の方向に集光するためのものである。
【００４５】
以上の構成を有する液晶装置１００では、複数の光源１４から出射された光Ｌは、図１の破線矢印に示すように拡散補助部材１５、拡散板１８及び光学シート１９を通過することで拡散し、その拡散した光Ｌは、液晶表示パネル５０の表示領域に向けて照射される。この際、液晶表示パネル５０において液晶層４の液晶分子の配向が制御されて、所望の表示画像が観察者によって視認される。特に、この液晶装置１００では、後述するように拡散板１８に対して拡散補助部材１５を設けるようにしているので、高い輝度が得られ、且つ輝度の均一化及び形体の薄型化が図れる。
【００４６】
（照明装置における輝度の均一化構造）
次に、図１、図２（ｂ）及び図３を参照して、照明装置５１における輝度の均一化構造等について説明する。
【００４７】
図２（ｂ）は、拡散板１８を、光学ユニット１２側から見た平面図を示す。図３（ａ）は、図２（ｂ）における拡散板１８の要部平面図を示し、特に、拡散板１８に重ねて配置された拡散補助部材１５の平面構成を示す。図３（ｂ）は、図３（ａ）の切断線Ａ−Ａ’に沿った拡散板１８の要部断面図を示し、特に、拡散補助部材１５の断面構成を示す。なお、図３（ｂ）では、拡散補助部材１５と光源１４との位置関係についての理解を容易とするため、拡散補助部材１５に対応して配置される光源１４も図示することにしている。
【００４８】
一般的に、光源１４が発光ダイオードである場合、その輝度分布は、光源１４の正面方向が最も大きく、その光源１４の正面方向に対して角度が大きくなるほど小さくなる。そのため、拡散板１８と光源１４との間隔を小さくすると光Ｌの拡散度（拡散率）が低くなり、均一な輝度を得ることが困難になる一方、拡散板１８と光源１４との間隔を大きくすると、均一な輝度が得られる反面、その輝度が低くなってしまう。
【００４９】
そこで、一般的な照明装置では、輝度を低下させることなく、均一な輝度を得るために、拡散板１８と光源１４との間隔を最適化することが行われる。しかしながら、この構成によれば、拡散板１８と光源１４との間隔をある程度大きくせざるを得ず、その結果、照明装置の薄型化を図ることが難しいといった課題がある。
【００５０】
そこで、本実施形態では、輝度を低下させることなく、輝度の均一化を向上させ、さらに照明装置５１の薄型化を図るために、照明装置５１の構造に工夫を凝らす。
【００５１】
具体的には、本実施形態では、拡散板１８において、光源１４に対向する領域に対して、拡散補助部材１５を重ねて配置し、当該領域における拡散度を他の領域よりも高くする。より具体的には、拡散板１８の光学ユニット１２側の面１８ａであって、且つ各光源１４から放射状に出射された光Ｌの領域Ｌａ、Ｌｂの各々と平面的に重なる領域Ａ１、Ａ２に対して、大きさ（面積）の異なる複数の拡散パターンを積層して構成される拡散補助部材１５を配置する。
【００５２】
ここで、光源１４から出射される光Ｌは、その中心軸Ｌ１から外側に向かうに従い段階的又は連続的に明るくなる。例えば、光Ｌの領域Ｌａ、Ｌｂ、Ｌｃにおける、光源１４から出射された光Ｌの明るさの大小関係は、破線にて示す領域Ｌａ＞一点鎖線にて示す領域Ｌｂ＞二点鎖線にて示す領域Ｌｃといったように段階的又は連続的に変化する。また、拡散補助部材１５は、各光源１４から出射された光Ｌのうち、一部の光Ｌｔを光学ユニット１２側とは逆側（液晶表示パネル５０側）に拡散させて透過させると共に残りの光Ｌｒを光学ユニット１２側に反射させる部材にて形成される。なお、拡散補助部材１５は、スクリーン印刷やインクジェット印刷等により形成される。光学ユニット１２側に戻った光Ｌｒは基板１３の表面に形成された反射部材で拡散板側に反射して、再度有効に利用される。
【００５３】
本例では、拡散補助部材１５は、拡散板１８上に形成された第１の拡散パターン（第１の拡散補助部材）１６と、第１の拡散パターン１６上に形成された第２の拡散パターン（第２の拡散補助部材）１７と、を有する。第１の拡散パターン１６及び第２の拡散パターン１７は、相互に大きさの異なる円形状の平面形状を有する。第１の拡散パターン１６の半径Ｒ１は、第２の拡散パターン１７の半径Ｒ２より大きく、第１の拡散補助部材１６及び第２の拡散補助部材１７の中心軸と、光源１４から出射される光Ｌの領域Ｌａの中心軸Ｌ１とは一致している。また、第１の拡散パターン１６の拡散度は、第２の拡散パターン１７の拡散度と同一か、或いは第２の拡散パターン１７の拡散度より小さい。例えば、インクジェット印刷により印刷する場合は、拡散度の調整はインクの濃度を調整することによって実現できる。
【００５４】
この構成によれば、拡散板１８において、各光源１４から放射状に出射された光Ｌの領域Ｌａ、Ｌｂ、Ｌｃの各々に対して、拡散率の異なる３つの領域Ａ１〜Ａ３が形成される。領域Ａ１は、拡散板１８と第１の拡散パターン１６と第２の拡散パターン１７とが重なる領域であり、領域Ａ２は、拡散板１８と第１の拡散パターン１６とが重なる領域であり、領域Ａ３は、拡散板１８のみの領域である。これにより、光Ｌの拡散率は、領域Ａ１＞領域Ａ２＞領域Ａ３となる。つまり、この構成によれば、拡散板１８において、各光源１４から出射される光Ｌの強度（光度）が最も大きくなる領域ほど光Ｌの拡散率が大きくなり、各光源１４から出射される光Ｌの強度が小さくなる領域ほど光Ｌの拡散率が小さくなる。  これにより、各光源１４からの光Ｌを拡散補助部材１５及び拡散板１８によって液晶表示パネル５０側に向けて均一に拡散させることができる。よって、拡散板１８の出射面１８ｂを通じて出射される光Ｌの輝度を低下させることなく、その輝度の均一性を向上させることができる。つまり、この照明装置５１によれば、輝度を低下させることなく、輝度の均一性を向上させることができる。
【００５５】
好適な例では、上記の作用効果をより得るため、光源１４は行列状に複数配置され、拡散補助部材１５は、複数の光源１４の各々に対向して行列状に複数配置されるとともに、拡散補助部材１５の各々は互いに離間して配置される。この場合、拡散板１８と各点光源１４との間隔ｄ１は、隣り合う点光源１４の間隔ｄ２以下であることが好ましい。
【００５６】
また、この構成によれば、拡散板１８に対して、そのような拡散構造（拡散パターンの積層構造）を設けるだけなので、拡散板１８と各点光源１４との間隔ｄ１を小さくすることができ、その結果、照明装置５１の薄型化を図ることができる。
【００５７】
また、この構成によれば、拡散板１８に対して、例えばスクリーン印刷やインクジェット印刷等により拡散補助部材１５を形成することにより、照明装置５１の製造コストを低減することができる。
【００５８】
[変形例]
本発明は、上記の実施形態に係る照明装置等の構成に限定されるものではなく、その趣旨を逸脱しない範囲において種々の変更を加えることが可能である。以下、本発明の各種変形例について説明する。
【００５９】
（変形例１）
まず、図４（ａ）を参照して、本発明の変形例１に係る照明装置５１ａの構成について説明する。図４（ａ）は、図３（ｂ）に対応する、照明装置５１ａにおける拡散補助部材１５を通る位置で切断した断面構成を示す。
【００６０】
変形例１に係る照明装置５１ａは、上記した実施形態に係る照明装置５１と比較して、拡散板１８における拡散補助部材１５の配置位置が異なり、それ以外は同様である。よって、以下では、上記した実施形態と同一の要素については同一の符号を付し、その説明は適宜省略する。
【００６１】
変形例１に係る照明装置５１ａでは、拡散補助部材１５は、拡散板１８の光学ユニット１２側とは逆側（液晶表示パネル５０側）の面（出射面）１８ｂであって、且つ各光源１４から放射状に出射された光Ｌの領域と平面的に重なる領域に対応して配置されている。具体的に、拡散補助部材１５の構成要素のうち、第１の拡散パターン１６は、拡散板１８の出射面１８ｂ上であって、且つ各光源１４の光Ｌの領域Ｌｂと平面的に重なる領域に形成されていると共に、第２の拡散パターン１７は、第１の拡散パターン１６上であって、且つ各光源１４の光Ｌの領域Ｌａと平面的に重なる領域に形成されている。なお、拡散板１８において、拡散補助部材１５と平面的に重ならない領域は、各光源１４の光Ｌの領域Ｌｃと平面的に重なっている。
【００６２】
この構成によれば、拡散板１８において、各光源１４から出射される光Ｌの強度が最も大きくなる領域ほど光Ｌの拡散率が大きくなり、各光源１４から出射される光Ｌの強度が小さくなる領域ほど光Ｌの拡散率が小さくなる。その結果、上記した実施形態と同様の作用効果を得ることができる。
【００６３】
また、この構成によれば、各光源１４から出射された光Ｌは、まず拡散板１８を透過することにより拡散され、その拡散された光が、第１の拡散パターン１６及び第２の拡散パターン１７をこの順に透過することで更に拡散される。そのため、上記した実施形態と比較して、拡散補助部材１５の拡散度、即ち第１の拡散パターン１６及び第２の拡散パターン１７の拡散度を小さくすることができるので、光の利用率が向上して明るい照明装置となる。
【００６４】
（変形例２）
次に、図４（ｂ）を参照して、本発明の変形例２に係る照明装置５１ｂの構成について説明する。図４（ｂ）は、図３（ｂ）に対応する、照明装置５１ｂにおける拡散補助部材１５を通る位置で切断した断面構成を示す。
【００６５】
変形例２に係る照明装置５１ｂは、上記した実施形態に係る照明装置５１と比較して、拡散板１８における拡散補助部材１５の構成要素の配置位置が異なり、それ以外は同様である。よって、以下では、上記した実施形態と同一の要素については同一の符号を付し、その説明は適宜省略する。
【００６６】
変形例２に係る照明装置５１ｂでは、拡散補助部材１５の構成要素のうち、第１の拡散パターン１６は、拡散板１８の出射面１８ｂ上であって、且つ各光源１４から放射状に出射された光Ｌの領域Ｌｂと平面的に重なる領域に形成されていると共に、第２の拡散パターン１７は、拡散板１８の出射面１８ｂとは逆側の面１８ａ上であって、且つ各光源１４から放射状に出射された光Ｌの領域Ｌａ及び第１の拡散パターン１６と平面的に重なる領域に形成されている。この構成によれば、拡散板１８において、各光源１４から出射される光Ｌの強度が最も大きくなる領域ほど光Ｌの拡散率が大きくなり、各光源１４から出射される光Ｌの強度が小さくなる領域ほど光Ｌの拡散率が小さくなる。その結果、上記した実施形態と略同様の作用効果を得ることができる。
【００６７】
なお、本発明では、変形例２に係る照明装置５１ｂの拡散板１８に対して、第１の拡散パターン１６と第２の拡散パターン１７との位置関係が逆でも構わない。即ち、本発明では、拡散補助部材１５の構成要素のうち、第２の拡散パターン１７は、拡散板１８の出射面１８ｂ上であって、且つ各光源１４から放射状に出射された光Ｌの領域Ｌａと平面的に重なる領域に形成されていると共に、第１の拡散パターン１６は、拡散板１８の出射面１８ｂとは逆側の面１８ａ上であって、且つ各光源１４から放射状に出射された光Ｌの領域Ｌｂ及び第２の拡散パターン１７と平面的に重なる領域に形成されていてもよい。
【００６８】
（変形例３）
次に、図５（ａ）を参照して、本発明の変形例３に係る照明装置５１ｃの構成について説明する。図５（ａ）は、図３（ｂ）に対応する、照明装置５１ｃにおける拡散補助部材１５を通る位置で切断した断面構成を示す。
【００６９】
変形例３に係る照明装置５１ｃは、上記した実施形態に係る照明装置５１と比較して、拡散板１８における拡散補助部材１５の構成要素の積層構造が異なり、それ以外は同様である。よって、以下では、上記した実施形態と同一の要素については同一の符号を付し、その説明は適宜省略する。
【００７０】
変形例３に係る照明装置５１ｃでは、拡散補助部材１５の構成要素のうち、第１の拡散パターン１６と第２の拡散パターン２とが積層構造を有するのに加え、第１の拡散パターン１６と第２の拡散パターン２とは相互に平面的に重なり合う領域を有する。具体的に、第２の拡散パターン１７は、拡散板１８の出射面１８ｂ側とは逆側の面１８ａ上であって、且つ各光源１４から放射状に出射された光Ｌの領域Ｌａと平面的に重なる領域に形成されていると共に、第１の拡散パターン１６は、第２の拡散パターン１７の光学ユニット１２側の面上及び拡散板１８の出射面１８ｂ側とは逆側の面１８ａ上であって、且つ各光源１４から放射状に出射された光Ｌの領域Ｌｂと平面的に重なる領域に形成されている。
【００７１】
この構成によれば、拡散板１８において、各光源１４から出射される光Ｌの強度が最も大きくなる領域ほど光Ｌの拡散率が大きくなり、各光源１４から出射される光Ｌの強度が小さくなる領域ほど光Ｌの拡散率が小さくなる。その結果、上記した実施形態と略同様の作用効果を得ることができる。
【００７２】
なお、本発明では、変形例３に係る照明装置５１ｃにおいて、第２の拡散パターン１７は、拡散板１８の出射面１８ｂ上であって、且つ各光源１４から放射状に出射された光Ｌの領域Ｌａと平面的に重なる領域に形成されていると共に、第１の拡散パターン１６は、第２の拡散パターン１７の光学ユニット１２側の面上及び拡散板１８の出射面１８ｂ上であって、且つ各光源１４から放射状に出射された光Ｌの領域Ｌｂと平面的に重なる領域に形成されていてもよい。
【００７３】
（変形例４）
次に、図５（ｂ）を参照して、本発明の変形例３に係る照明装置５１ｄの構成について説明する。図５（ｂ）は、図３（ｂ）に対応する、照明装置５１ｄにおける拡散補助部材１５を通る位置で切断した断面構成を示す。
【００７４】
変形例４に係る照明装置５１ｄは、上記した実施形態に係る照明装置５１、並びに変形例１〜３に係る照明装置５１ａ、５１ｂ、５１ｃと比較して、拡散補助部材１５における、大きさの異なる拡散パターン（拡散補助部材）の積層する数が増えている点が異なる。そして、各拡散パターンの半径Ｒは、拡散板１８からの距離が離れるほど小さくなると共に、各拡散パターンの拡散度は、全て同一か、或いは拡散板１８からの距離が離れるほど大きい。
【００７５】
この構成によれば、各光源１４から放射状に出射された光Ｌの明るさの大小関係は、領域Ｌａ＞領域Ｌｂ＞領域Ｌｃ＞領域Ｌｄ＞領域Ｌｅであり、各光源１４から出射された光Ｌの拡散度の大小関係は、拡散板１８において、領域Ｌａに対応する領域＞領域Ｌｂに対応する領域＞領域Ｌｃに対応する領域＞領域Ｌｄに対応する領域＞領域Ｌｅに対応する領域である。ここで、領域Ｌａに対応する領域は、拡散板１８から最も離れた拡散パターンと平面的に重なる領域である。また、領域Ｌｂに対応する領域は、拡散板１８から次に離れた拡散パターンと平面的に重なる領域である。また、領域Ｌｃに対応する領域は、拡散板１８からその次に離れた拡散パターンと平面的に重なる領域である。また、領域Ｌｄに対応する領域は、拡散板１８からその次の次に離れた拡散パターンと平面的に重なる領域である。また、領域Ｌｅに対応する領域は、拡散板１８に最も近い拡散パターンと平面的に重なる領域である。
【００７６】
つまり、拡散板１８において、各光源１４から出射される光Ｌの強度が最も大きくなる領域ほど光Ｌの拡散率が大きくなり、各光源１４から出射される光Ｌの強度が小さくなる領域ほど光Ｌの拡散率が段階的に小さくなる。そのため、点光源１４から出射される光Ｌを液晶表示パネル５０側に向けてより均一に拡散させることが可能となり、輝度の均一化をより図ることが可能となる。
【００７７】
その他、本発明では、光源１４や拡散補助部材１５の形状、数などに限定はない。また、本発明では、電気光学装置の一例としての表示装置は、液晶装置に限定されず、有機エレクトロルミネッセンス表示装置、プラズマディスプレイ装置、及びフィールドエミッション表示装置などに適用してもよい。
【００７８】
[電子機器]
次に、上記した実施形態に係る照明装置５１、変形例１〜４に係る照明装置５１ａ、５１ｂ、５１ｃ、５１ｄのうちの何れかの照明装置を備える液晶装置（以下、代表して「液晶装置１０００」と称する）を備える電子機器の具体例について図６を参照して説明する。
【００７９】
まず、本発明に係る液晶装置１０００を、可搬型のパーソナルコンピュータ（いわゆるノート型パソコン）の表示部に適用した例について説明する。図６（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【００８０】
続いて、本発明に係る液晶装置１０００を、携帯電話機の表示部に適用した例について説明する。図６（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【００８１】
なお、本発明に係る液晶装置１０００を適用可能な電子機器としては、図６（ａ）に示したパーソナルコンピュータや図６（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００８２】
【図１】本発明の実施形態に係る照明装置を備える液晶装置の構成を示す断面図。
【図２】本実施形態の照明装置の各構成要素の構成を示す各種平面図。
【図３】本実施形態に係る照明装置の拡散補助部材の構成を示す平面図及び断面図。
【図４】変形例１又は２に係る照明装置の拡散補助部材の構成を示す各断面図。
【図５】変形例３又は４に係る照明装置の拡散補助部材の構成を示す各断面図。
【図６】本発明の照明装置を有する液晶装置を備える電子機器の斜視図。
【符号の説明】
【００８３】
１２  光学ユニット、  １３  基板（基材）、  １４  光源、  １５  拡散補助部材、  １６  第１の拡散パターン（第１の拡散補助部材）、  １７  第２の拡散パターン（第２の拡散補助部材）、  １８  拡散板（拡散部材）、  １９  光学シート（拡散シート、プリズムシート）、  ５０  液晶表示パネル、  ５１、５１ａ、５１ｂ、５１ｃ、５１ｄ  照明装置、  １００  液晶装置（電気光学装置）
【図１】
2010040236.tif 000003
【図２】
2010040236.tif 000004
【図３】
2010040236.tif 000005
【図４】
2010040236.tif 000006
【図５】
2010040236.tif 000007
【図６】
2010040236.tif 000008